(57)【要約】【課題】特に回転体が高速回転する際に、前記回転体のバランスを高精度に維持することを可能にする。【解決手段】びびり防止構造１０は、ツールホルダ２０に対し、道具取り付け部２４の後端部の外周に固定され、前記ツールホルダ２０と一体に回転されるハウジング部材２８を備える。ハウジング部材２８内に形成される環状ダンパー室３４には、ワークＷの加工時にびびりの要因となる振動エネルギーを、滑り摩擦によって吸収する分割型のリング状フリクションダンパー部３６が、周回移動可能に収容される。【選択図】図１
2018094710.tif 000002
【特許請求の範囲】
【請求項１】
回転される回転体に装着された加工工具を介してワークに加工処理を施す際に、びびりが発生することを防止するための作業機械のびびり防止構造であって、
前記回転体と一体に回転されるハウジング部材と、
前記ハウジング部材内に形成される環状ダンパー室と、
前記環状ダンパー室内に周回移動可能に収容されているとともに、前記ワークの加工時に前記びびりの要因となる振動エネルギーを、滑り摩擦によって吸収する分割型のリング状フリクションダンパー部と、
を備えており、
前記リング状フリクションダンパー部は、リング体を周方向に分割して構成されており、前記加工工具の切削方向に振動が発生した際、慣性力により前記振動と反対方向に移動する複数個のリング体構成片と、
各リング体構成片に埋設されており、前記ハウジング部材の内壁との間で前記滑り摩擦を発生させるためのマグネットと、
を有し、
各リング体構成片の内周円弧状壁面と外周円弧状壁面との間隔は、前記環状ダンパー室を構成する内周壁面と外周壁面との間隔よりも小さな値に設定され、且つ前記環状ダンパー室の前記外周壁面は、前記回転体の回転軸と同心上に配置されていることを特徴とする作業機械のびびり防止構造。
【請求項２】
請求項１記載のびびり防止構造において、前記回転体は、前記加工工具が取り付けられるツールホルダ、又は、前記ツールホルダが固定される主軸であることを特徴とする作業機械のびびり防止構造。
【発明の詳細な説明】
【技術分野】
【０００１】  本発明は、回転される回転体に装着された加工工具を介してワークに加工処理を施す際に、びびりが発生することを防止するための作業機械のびびり防止構造に関する。
【背景技術】
【０００２】  一般的に、加工工具を介してワークに加工処理を施すために、各種の工作機械が使用されている。工作機は、通常、前記工作機の動作に連動して作業する機能及び機構を備えた作業機械に組み込まれている。【０００３】  例えば、ボーリング加工は、ボーリングバー（刃先）が設けられたボーリングツールを工作機械の回転主軸（スピンドル）に取り付け、前記ボーリングツールを高速で回転させながら下穴に沿って順次繰り出すことにより、その刃先加工径で所定の位置に高精度な孔部を加工するものである。【０００４】  通常、ボーリングバーは、いわゆる片持ち方式であり、例えば、コネクティングロッド等のワークの穴加工に使用されるため、比較的長尺で且つ細径に設定されている。加工されるワークをクランプする治具や加工穴の形状の干渉等が懸念されるからである。このため、切削抵抗によってボーリングバーに撓みが発生し易く、びびり（所謂、再生びびりを含む）となって加工に表れてしまう。【０００５】  そこで、例えば、特許文献１に開示されている作業機械のびびり防止構造が知られている。このびびり防止構造は、回転体の外周に固定され、該回転体と一体に回転されるハウジング部材と、前記ハウジング部材内に形成される環状ダンパー室と、前記環状ダンパー室内に周回移動可能に収容されるとともに、ワークの加工時にびびりの要因となる振動エネルギーを、滑り摩擦によって吸収するリング状フリクションダンパー部と、を備えている。【０００６】  このため、加工工具によるワークの加工時に、切削方向の振動を含む種々の振動を、フリクションダンパー部の滑り摩擦によって確実に吸収することができ、簡単な構成で、びびりの発生を可及的に抑制することが可能になる、としている。
【先行技術文献】
【特許文献】
【０００７】
【特許文献１】特開２０１４−９１２１１号公報
【発明の概要】
【発明が解決しようとする課題】
【０００８】  本発明は、この種のびびり防止構造に関連してなされたものであり、特に回転体が高速回転する際に、前記回転体のバランスを高精度に維持することが可能な作業機械のびびり防止構造を提供することを目的とする。
【課題を解決するための手段】
【０００９】  本発明は、回転される回転体に装着された加工工具を介してワークに加工処理を施す際に、びびりが発生することを防止するための作業機械のびびり防止構造に関するものである。【００１０】  このびびり防止構造では、回転体と一体に回転されるハウジング部材と、前記ハウジング部材内に形成される環状ダンパー室と、前記環状ダンパー室内に周回移動可能に収容されているとともに、ワークの加工時にびびりの要因となる振動エネルギーを、滑り摩擦によって吸収する分割型のリング状フリクションダンパー部と、を備えている。【００１１】  リング状フリクションダンパー部は、リング体を周方向に分割して構成されており、加工工具の切削方向に振動が発生した際、慣性力により前記振動と反対方向に移動する複数個のリング体構成片と、各リング体構成片に埋設されており、ハウジング部材の内壁との間で滑り摩擦を発生させるためのマグネットと、を有している。そして、各リング体構成片の内周円弧状壁面と外周円弧状壁面との間隔は、環状ダンパー室を構成する内周壁面と外周壁面との間隔よりも小さな値に設定され、且つ前記環状ダンパー室の前記外周壁面は、回転体の回転軸と同心上に配置されている。【００１２】  また、このびびり防止構造では、回転体は、加工工具が取り付けられるツールホルダ、又は、前記ツールホルダが固定される主軸であることが好ましい。
【発明の効果】
【００１３】  本発明に係る作業機械のびびり防止構造では、加工工具によるワークの加工時に、切削方向の振動を含む種々の振動を、リング状フリクションダンパー部を構成する各リング体構成片の滑り摩擦によって確実に吸収することができ、簡単な構成で、びびりの発生を可及的に抑制することが可能になる。【００１４】  しかも、遠心力により各リング体構成片がラジアル方向に付勢（押圧）されると、前記リング体構成片の外周円弧状壁面は、環状ダンパー室の外周壁面に当接して支持される。その際、環状ダンパー室の外周壁面は、回転体の回転軸と同心上に配置されている。このため、複数のリング体構成片は、全体として回転体の回転軸と同心位置に配置されることになり、リング状フリクションダンパー部にインバランス状態が発生することを確実に阻止することができる。従って、特に、回転体が高速回転する際にも、あるいは、リング状フリクションダンパー部の質量が大きくなる際にも、インバランス状態を回避することが可能になる。
【図面の簡単な説明】
【００１５】
【図１】  本発明の第１の実施形態に係る作業機械のびびり防止構造が組み込まれる工作機械の要部説明図である。
【図２】  前記びびり防止構造の断面説明図である。
【図３】  前記びびり防止構造の、図２中、ＩＩＩ−ＩＩＩ線断面図である。
【図４】  振動エネルギーと消散エネルギーとの関係図である。
【図５】  本発明の第２の実施形態に係る作業機械のびびり防止構造が組み込まれる工作機械の要部説明図である。
【発明を実施するための形態】
【００１６】  図１に示すように、本発明の第１の実施形態に係る作業機械のびびり防止構造１０は、工作機械１２に組み込まれる。工作機械１２は、機械主軸頭１４内にベアリング１６を介して回転可能に設けられるスピンドル（主軸）１８と、前記スピンドル１８に着脱自在なツールホルダ２０とを備える。本願の作業機械は、工作機械１２のスピンドル１８に装着されたツールホルダ２０が、前記工作機械１２の動作に連動して作業する機能及び機構を備える。
【００１７】  ツールホルダ２０の一端には、スピンドル１８に連結されるシャンク部２２が設けられるとともに、前記ツールホルダ２０の他端には、道具取り付け部（回転体）２４が設けられる。道具取り付け部２４の先端には、道具、例えば、ボーリングバー（加工工具）２６が装着される。
【００１８】  びびり防止構造１０は、ツールホルダ２０に対し、道具取り付け部２４の後端部の外周に固定され、前記ツールホルダ２０と一体に回転されるハウジング部材２８を備える。ハウジング部材２８は、略リング形状を有するとともに、軸方向一端（例えば、先端）には、段部を介して小径部２８ｓが設けられる。小径部２８ｓには、径方向に貫通して１以上のねじ孔３０が形成される。ねじ孔３０にねじ込まれる止めねじ３２は、道具取り付け部２４の外周面に押し付けられることにより、ハウジング部材２８は、前記道具取り付け部２４の外周に固定される。
【００１９】  図２に示すように、ハウジング部材２８内には、環状ダンパー室３４が形成される。環状ダンパー室３４には、ワークＷの加工時にびびりの要因となる振動エネルギーを、滑り摩擦によって吸収する分割型のリング状フリクションダンパー部３６が、周回移動可能に、すなわち、道具取り付け部２４の外周に沿って周回する方向（矢印Ａ方向）に移動可能に収容される。
【００２０】  リング状フリクションダンパー部３６は、図３に示すように、リング体を周方向に分割して構成される。具体的には、リング状フリクションダンパー部３６は、ボーリングバー２６の切削方向に、すなわち、道具取り付け部２４のねじり方向（回転方向又は反回転方向）（矢印Ａ方向）に、振動が発生した場合、慣性力により前記振動と反対方向に移動する複数個、例えば、６個のリング体構成片３８を備える。
【００２１】  各リング体構成片３８は、同一形状を有し、単一のリング体を同一角度間隔ずつ分割して構成される。図３に示す状態（遠心力により外方に移動した状態）で、各リング体構成片３８の端面３８ｆ同士は、僅かに離間して配置されている。なお、各リング体構成片３８は、異なる形状を有していてもよい。
【００２２】  各リング体構成片３８の内周円弧状壁面３８ｉと外周円弧状壁面３８ｏとの間隔ｔ１は、環状ダンパー室３４を構成する内周コンタクト面（内周壁面）４０ｉと外周コンタクト面（外周壁面）４０ｏとの間隔ｔ２よりも小さな値に設定される（ｔ１＜ｔ２）。環状ダンパー室３４の外周コンタクト面４０ｏは、道具取り付け部２４の回転軸と同心上に配置される。各リング体構成片３８は、道具取り付け部２４の外周に沿って周回する方向に及び前記道具取り付け部２４の径方向に移動可能である。図２に示すように、ハウジング部材２８には、環状ダンパー室３４を覆って断面Ｌ字状のカバーリング部材４１が取り付けられる。
【００２３】  各リング体構成片３８には、１個又は複数個のマグネット４２が埋設される。各リング体構成片３８は、ハウジング部材２８の第１コンタクト面（内壁）２８ａとの間で滑り摩擦を発生させる第２コンタクト面３８ａを有する。第１コンタクト面２８ａと第２コンタクト面３８ａとは、各マグネット４２の磁力により吸着接触する。第１コンタクト面２８ａは、道具取り付け部２４の回転軸と同心上に配置されるリング形状を有し、マグネット４２をスムーズに横滑りさせるために平滑面に構成される。なお、第２コンタクト面３８ａも、平滑面に構成されることが好ましい。
【００２４】  ハウジング部材２８の内径寸法は、取り付けられる道具取り付け部２４の外形寸法よりも少し大きな径に設定される。ハウジング部材２８の内径と道具取り付け部２４の外形との寸法の差（ギャップ）にも起因するが、複数の止めねじ３２を使用することにより、回転軸である前記道具取り付け部２４に対して前記ハウジング部材２８の内径部が均等な距離を持つように取り付けることが好ましい。
【００２５】  このように構成される第１の実施形態に係るびびり防止構造１０が適用される工作機械１２の動作について、以下に説明する。
【００２６】  図１に示すように、工作機械１２では、ツールホルダ２０を取り付けたスピンドル１８が回転駆動されるとともに、ワークＷの下穴Ｗａに沿って繰り出される。そして、ツールホルダ２０と一体に道具取り付け部２４がワークＷの下穴Ｗａ側に相対的に移動する。このため、回転する道具取り付け部２４に装着されたボーリングバー２６を介して、下穴Ｗａを構成する内壁面にボーリング加工が施される。
【００２７】  この場合、びびり防止構造１０では、図３に示すように、切削方向（矢印Ａ方向）の振動、すなわち、道具取り付け部２４のねじり方向（回転方向又は反回転方向）の振動が発生した場合、質量を有する各リング体構成片３８は、慣性力により前記振動と反対方向に移動しようとする。
【００２８】  ここで、振動エネルギ（振幅）が小さいと、各マグネット４２による吸着力が各リング体構成片３８の慣性力よりも大きくなり、前記リング体構成片３８は、振動と同じ方向に移動することになる。すなわち、図４に示すように、滑りが生じない範囲であるＸｓ点以下の状態となる。
【００２９】  一方、一定以上の振動振幅が発生すると、各リング体構成片３８の慣性力が大きくなり、前記リング体構成片３８は、作用する振動とは反対の方向に移動しようとする。すなわち、図４中、Ｘｓ点以上の状態となる。その際、各リング体構成片３８の第２コンタクト面３８ａとハウジング部材２８の第１コンタクト面２８ａとは、前記リング体構成片３８に設けられたマグネット４２の磁力によって吸着接触している（図２参照）。
【００３０】  従って、第１コンタクト面２８ａと第２コンタクト面３８ａとの間で、摩擦すべり（横滑り運動）が生じ、その運動エネルギーが吸収散逸させられる。具体的には、熱に変換される。このすべり摩擦によるエネルギー散逸の効果により、振動振幅はそれ以上大きくならず、結果的に、びびり振動が抑制されることになる（図４参照）。
【００３１】  これにより、第１の実施形態では、ボーリングバー２６によるワークＷの加工時に、切削方向の振動を含む種々の振動を、リング状フリクションダンパー部３６の滑り摩擦によって確実に吸収することができる。このため、簡単な構成で、びびりの発生を可及的に抑制することが可能になるという効果が得られる。
【００３２】  また、各リング体構成片３８には、道具取り付け部２４の回転作用下に遠心力が作用する。その際、回転方向の振動が、Ｘｓ点以下の小さい状態である時には、各リング体構成片３８は、外周円弧状壁面３８ｏを環状ダンパー室３４の外周コンタクト面４０ｏに接触させることにより、同心円上に配置されている。
【００３３】  次いで、回転方向の振動が、Ｘｓ点以上の大きな状態である時には、各リング体構成片３８は、すべり摩擦によって回転方向に摺動するとともに、図２中、矢印Ｂ方向（道具取り付け部２４のラジアル方向外方）に移動しようとする。従って、各リング体構成片３８は、外周円弧状壁面３８ｏを環状ダンパー室３４の外周コンタクト面４０ｏに圧接させた状態で、前記外周コンタクト面４０ｏに沿って摺動する。
【００３４】  この場合、外周コンタクト面４０ｏは、道具取り付け部２４の回転軸と同心上に配置されており、前記外周コンタクト面４０ｏに圧接している各リング体構成片３８は、全体として同心円上に配置されている。これにより、リング状フリクションダンパー部３６は、全体として道具取り付け部２４の回転軸と同心位置に配置されることになり、インバランス状態が発生することを確実に阻止することができる。このため、特に、道具取り付け部２４が高速回転する際にも、あるいは、リング状フリクションダンパー部３６の質量が大きくなる際にも、インバランス状態を回避することが可能になるという効果が得られる。
【００３５】  しかも、リング状フリクションダンパー部３６は、図３に示すように、リング体を周方向に分割して構成されている。従って、リング状の一体成形品に比べて、全体の質量を小さくすることができ、高周波振動域に至るまでフリクションダンパーとしての効果を得ることが可能になる。
【００３６】  なお、第１の実施形態では、びびり防止構造１０を構成するリング状フリクションダンパー部３６は、ツールホルダ２０に対し、道具取り付け部２４の後端部の外周に固定されているが、これに限定されるものではない。例えば、リング状フリクションダンパー部３６は、道具取り付け部２４の先端部の外周に固定されてもよい。
【００３７】  さらに、リング状フリクションダンパー部３６では、ハウジング部材２８が１以上の止めねじ３２により道具取り付け部２４の外周面に固定されているが、これに限定されるものではない。例えば、ハウジング部材２８を道具取り付け部２４の外周面に圧入する方法、接着剤で固着する方法、サークリップ（止め輪）で取り付ける方法、又はくさび体で取り付ける方法等を採用することができる。
【００３８】  図５は、本発明の第２の実施形態に係る作業機械のびびり防止構造５０が組み込まれる工作機械５２の要部説明図である。なお、第１の実施形態に係るびびり防止構造１０及び工作機械１２と同一の構成要素には、同一の参照符号を付して、その詳細な説明は省略する。
【００３９】  工作機械５２は、スピンドル（回転体）５４を備え、前記スピンドル５４の大径側の前端部５４ａに前方ハウジング部材５６ａが固定されるとともに、小径側の後端部５４ｂに後方ハウジング部材５６ｂが固定される。前方ハウジング部材５６ａ内には、環状ダンパー室３４ａが形成され、後方ハウジング部材５６ｂ内には、環状ダンパー室３４ｂが形成される。各環状ダンパー室３４ａ、３４ｂには、分割型のリング状フリクションダンパー部３６が、周回移動可能に収容される。
【００４０】  このように、びびり防止構造５０は、工作機械５２のスピンドル５４に直接取り付けられている。このため、後方ハウジング部材５６ｂの径、特に前方ハウジング部材５６ａの径が相当に大きくなり、リング状フリクションダンパー部３６の質量、さらに各リング体構成片３８の質量が大きなものとなっている。従って、回転方向の振動により、各リング体構成片３８が偏心状態になると、それらの質量の大きさから生じる遠心力によるインバランス量が増大し易い。
【００４１】  この場合、第２の実施形態では、上記の第１の実施形態と同様に、各リング体構成片３８は、遠心力により道具取り付け部２４のラジアル方向外方に移動しよとしても、前方ハウジング部材５６ａ及び後方ハウジング部材５６ｂの各外周コンタクト面４０ｏに圧接し、全体として同心円上に配置されている。これにより、インバランス状態を回避することができ、特に高速回転時のインバランスの発生を阻止することが可能になる。このため、高周波振動域に至るまでフリクションダンパーとしての効果を得ることができる。
【００４２】  しかも、前方ハウジング部材５６ａ及び後方ハウジング部材５６ｂがスピンドル５４の外周に固定されている。従って、スピンドル５４を可及的に小型化するとともに、前記スピンドル５４を経済的に製造することが可能になる。
【符号の説明】
【００４３】１０、５０…びびり防止構造  １２、５２…工作機械
１８、５４…スピンドル  ２０…ツールホルダ
２６…ボーリングバー  ２８…ハウジング部材
２８ａ、３８ａ、４０ｉ、４０ｏ…コンタクト面
３８ｉ、３８ｏ…壁面  ３４…環状ダンパー室
３６…リング状フリクションダンパー部
３８…リング体構成片リング体  ４２…マグネット
【図１】
2018094710.tif 000003
【図２】
2018094710.tif 000004
【図３】
2018094710.tif 000005
【図４】
2018094710.tif 000006
【図５】
2018094710.tif 000007